(57)【要約】【課題】本発明は、水力発電施設の発電機に結露が発生することを防止することのできる水力発電施設の結露防止システムを提供する。【解決手段】発電機が設置される発電機室内に取り付けられる縮小領域形成体を備え、該縮小領域形成体は、発電機室内の全体領域よりも小さい縮小領域であって、発電機の近傍の領域を含む縮小領域を画定することを特徴とする。【選択図】図３
2016163521.tif 000002
【特許請求の範囲】
【請求項１】
発電機が設置される発電機室内に取り付けられる縮小領域形成体を備え、該縮小領域形成体は、発電機室内の全体領域よりも小さい縮小領域であって、発電機の近傍の領域を含む縮小領域を画定することを特徴とする水力発電施設の結露防止システム。
【請求項２】
前記縮小領域形成体が、発電機室内を発電機のある側の下部領域と上部領域とに区切るように構成された請求項１に記載の水力発電施設の結露防止システム。
【請求項３】
前記縮小領域形成体が、発電機室内に取り付けられる膨張体であって、膨縮可能な膨張体を備える請求項１又は２に記載の水力発電施設の結露防止システム。
【請求項４】
発電機の温度値を取得するとともに、該温度値に応じて縮小領域形成体を制御する制御部を備え、該制御部は、温度値が縮小領域形成体を制御する基準となる基準温度値を下回ると発電機室内に縮小領域を画定し、温度値が基準温度値を上回ると縮小領域を開放する請求項１〜３の何れか１項に記載の水力発電施設の結露防止システム。
【請求項５】
発電機の温度値及び周囲の温度値を取得するとともに、発電機の温度値と周囲の温度値との差に応じて縮小領域形成体を制御する制御部を備え、該制御部は、発電機の温度値と周囲の温度値との差が縮小領域形成体を制御する基準となる基準温度差を上回ると発電機室内に縮小領域を画定し、発電機の温度値と周囲の温度値との差が基準温度差を下回ると縮小領域を開放する請求項１〜３の何れか１項に記載の水力発電施設の結露防止システム。
【発明の詳細な説明】
【技術分野】
【０００１】
本発明は、水力発電施設の発電機に結露が発生することを防止する水力発電施設の結露防止システムに関する。
【背景技術】
【０００２】
従来から、水力を利用して電力を発生させる水力発電施設が提供されている。かかる水力発電施設には、例えば、図８に示すように、水車Ｈ１の回転に応じた電力を発生させる発電機Ｈ２（図８では、便宜上、一つの発電機Ｈ２のみを図示している）と、該発電機Ｈ２を設置する空間を有する発電機室Ｈ３とを備えるものがある(特許文献１)。
【先行技術文献】
【特許文献】
【０００３】
【特許文献１】特開平１１−３０１７９号公報
【発明の概要】
【発明が解決しようとする課題】
【０００４】
この種の水力発電施設は、発電機Ｈ２の温度が周囲の温度よりも低下すると、該発電機Ｈ２に空気中の水蒸気が触れて結露が発生することがあり、その結露が発電機Ｈ２の電気系統（例えば、発電機Ｈ２の回転子や、該回転子を含む回路（界磁回路）等）の漏電や、地絡事故の原因となる虞がある。特に、発電機Ｈ２の運転を停止させている場合は、上述の問題がより顕著になる。
【０００５】
そこで、本発明は、かかる実情に鑑み、水力発電施設の発電機に結露が発生することを防止することのできる水力発電施設の結露防止システムを提供することを課題とする。
【課題を解決するための手段】
【０００６】
本発明に係る水力発電施設の結露防止システムは、発電機が設置される発電機室内に取り付けられる縮小領域形成体を備え、該縮小領域形成体は、発電機室内の全体領域よりも小さい縮小領域であって、発電機の近傍の領域を含む縮小領域を画定することを特徴とする。
【０００７】
上記構成の水力発電施設の結露防止システムによれば、縮小領域形成体によって、発電機室内の全体領域よりも小さい縮小領域であって、発電機の近傍の領域を含む縮小領域を画定することができるため、発電機から生じる暖かい空気（以下、暖気とする）が発電機室内の全体領域に拡散することを防止できる。すなわち、上記構成の水力発電施設の結露防止システムは、発電機の近傍の領域に暖気を集めることができる。
【０００８】
従って、水力発電施設の結露防止システムは、縮小領域に集めた暖気で発電機を温めることができる。これにより、水力発電施設の結露防止システムは、発電機に空気中の水蒸気が触れて結露が発生することを防止できる。
【０００９】
また、本発明に係る水力発電施設の結露防止システムは、前記縮小領域形成体が、発電機室内を発電機のある側の下部領域と上部領域とに区切るようにしてもよい。
【００１０】
このようにすれば、縮小領域形成体で発電機室内を下部領域と上部領域とに区切ると、発電機側の下部領域が発電機室内の全体領域よりも小さい領域になる。すなわち、上記構成の水力発電施設の結露防止システムは、下部領域で縮小領域を構成することができる。
【００１１】
従って、上記構成の水力発電施設の結露防止システムは、発電機から生じる暖気が発電機室内の全体領域に拡散することを防止できる。すなわち、上記構成の水力発電施設の結露防止システムは、下部領域に集めた暖気で発電機を温めることができる。これにより、水力発電施設の結露防止システムは、発電機に空気中の水蒸気が触れて結露が発生することをより確実に防止できる。
【００１２】
さらに、本発明に係る水力発電施設の結露防止システムは、前記縮小領域形成体が、発電機室内に取り付けられる膨張体であって、膨縮可能な膨張体を備えるようにしてもよい。
【００１３】
このようにすれば、膨張体を膨張させると膨張体が発電機室内を占有する割合を高めることができる。すなわち、上記構成の水力発電施設の結露防止システムは、膨張体を膨張させて発電機室内の領域を狭めたうえで縮小領域を画定することができる。そのため、上記構成の水力発電施設の結露防止システムは、より効率よく縮小領域に暖気を集めることができる。
【００１４】
さらに、本発明に係る水力発電施設の結露防止システムは、発電機の温度値を取得するとともに、該温度値に応じて縮小領域形成体を制御する制御部を備え、該制御部は、温度値が縮小領域形成体を制御する基準となる基準温度値を下回ると発電機室内に縮小領域を画定し、温度値が基準温度値を上回ると縮小領域を開放するようにしてもよい。
【００１５】
このようにすれば、発電機の温度が基準温度値を上回ったときに縮小領域が開放されるため、発電機を温める必要のないときに、発電機の近傍の領域を開放することができる。
【００１６】
また、本発明に係る水力発電施設の結露防止システムは、発電機の温度値及び周囲の温度値を取得するとともに、発電機の温度値と周囲の温度値との差に応じて縮小領域形成体を制御する制御部を備え、該制御部は、発電機の温度値と周囲の温度値との差が縮小領域形成体を制御する基準となる基準温度差を上回ると発電機室内に縮小領域を画定し、発電機の温度値と周囲の温度値との差が基準温度差を下回ると縮小領域を開放するようにしてもよい。
【００１７】
このようにすれば、発電機と周囲との温度差が基準温度差を下回ったときに縮小領域が開放されるため、発電機を温める必要のないときに、発電機の近傍の領域を開放することができる。
【発明の効果】
【００１８】
以上より、本発明によれば、水力発電施設の発電機に結露が発生することを防止することのできる水力発電施設の結露防止システムを提供するこができる。
【図面の簡単な説明】
【００１９】
【図１】図１は、本実施形態に係る水力発電施設の結露防止システムの概略図である。
【図２】図２は、図１における結露防止システムのＡ矢視図である。
【図３】図３は、図１における結露防止システムのＡ矢視図である。
【図４】図４は、図１における結露防止システムのＡ矢視図である。
【図５】図５は、他実施形態に係る結露防止システムの概略図である。
【図６】図６Ａは、別の実施形態に係る結露防止システムの概略図である。図６Ｂは、同実施形態に係る結露防止システムの概略図であって、縮小領域が形成された状態を説明する概略図である。
【図７】図７Ａは、更に別の実施形態に係る結露防止システムの概略図である。図７Ｂは、同実施形態に係る結露防止システムの概略図であって、縮小領域が形成された状態を説明する概略図である。
【図８】図８は、従来の水力発電施設の概略図である。
【発明を実施するための形態】
【００２０】
以下、本発明の一実施形態に係る水力発電施設の結露防止システム（以下、単に結露防止システムとする）について、添付図面を参照しつつ説明する。
【００２１】
まず、水力発電施設について説明する。図８に示すように、水力発電施設Ｈは、水車Ｈ１の回転に応じた電力を発生させる一つ以上の発電機Ｈ２（本実施形態では、二つの発電機Ｈ２）と、該複数の発電機Ｈ２のそれぞれを設置する空間を有する発電機室Ｈ３とを備える。
【００２２】
図１に示すように、複数の発電機Ｈ２のそれぞれは、回転子（図示しない）を内装するハウジングＨ２０と、該ハウジングＨ２０内の空気を排出する排気部Ｈ２１とを有する。なお、図８に戻って示すように、複数の発電機Ｈ２のそれぞれは、回転子が回転軸Ｈ４によって水車Ｈ１に同心で連結されている。そのため、複数の発電機Ｈ２のそれぞれは、水車Ｈ１の回転に連動して回転子が回転することで電力が発生するように構成されている。
【００２３】
結露防止システムは、発電機室Ｈ３内に取り付けられる縮小領域形成体１を備えている。また、結露防止システムは、図２に示すように、発電機Ｈ２の温度値を取得するとともに、該温度値に応じて縮小領域形成体１を制御する制御部２を備える。
【００２４】
縮小領域形成体１は、発電機室Ｈ３内全体よりも小さい縮小領域Ａであって、発電機Ｈ２の近傍の領域を含む縮小領域Ａを画定する（図３参照）。本実施形態に係る縮小領域形成体１は、発電機室Ｈ３内を発電機Ｈ２のある側の下部領域と上部領域（下部領域の上方の領域）とに区切るように構成されており、該下部領域で縮小領域Ａを構成するようになっている。
【００２５】
より具体的に説明する。縮小領域形成体１は、発電機室Ｈ３内に取り付けられる一対の膨張体１０であって、膨縮可能な一対の膨張体１０を備える。また、本実施形態に係る縮小領域形成体１は、膨張体１０の内部に対して給排気可能な給排気系統１１を備える。なお、本実施形態に係る縮小領域形成体１は、一対の膨張体１０を備える。これに伴い、給排気系統１１は、一対の膨張体１０のそれぞれの内部に対して給排気可能に構成される。
【００２６】
一対の膨張体１０のそれぞれは、膨縮可能な膨縮部１００を有する。一対の膨張体１０のそれぞれは、発電機室Ｈ３内に取り付けられる第一端と、該第一端とは反対側の第二端とを有する。また、一対の膨張体１０のそれぞれは、互いの膨縮部１００の第二端が対向する。そして、本実施形態に係る一対の膨張体１０のそれぞれは、膨縮部１００が蛇腹状に形成される。
【００２７】
給排気系統１１は、一対の膨張体１０のそれぞれの内部に繋がる主流路１１０と、該主流路１１０に繋がる供給路１１１であって、弁体１１１ａを有する供給路１１１と、該供給路１１１に繋がる給気装置１１２と、前記主流路１１０に繋がる排気路１１３であって、弁体１１３ａを有する排気路１１３と、該排気路１１３に繋がる排気装置１１４とを備える。また、給排気系統１１は、主流路１１０に取り付けられる圧力計１１５を備える。
【００２８】
そのため、給排気系統１１は、排気路１１３の弁体１１３ａを閉状態にし、供給路１１１の弁体１１１ａを開状態にすると、給気装置１１２から一対の膨張体１０のそれぞれの内部に気体を供給することができる。また、給排気系統１１は、供給路１１１の弁体１１１ａを閉状態にし、排気路１１３の弁体１１３ａを開状態にすると、排気装置１１４から膨張体１０のそれぞれの内部から気体を排出することができる。
【００２９】
圧力計１１５は、一対の膨張体１０のそれぞれの内部の圧力を測定することができる。
【００３０】
本実施形態に係る制御部２は、発電機Ｈ２（本実施形態では、複数の発電機Ｈ２のそれぞれ）の温度値を取得し、該温度値が縮小領域形成体１を制御する基準となる基準温度値を下回ると発電機室内に縮小領域Ａを画定し、該温度値が基準温度値を上回ると縮小領域Ａを開放する。
【００３１】
より具体的にする。制御部２は、複数の発電機Ｈ２のそれぞれの温度値を取得する温度値取得部２０を備える。また、制御部２は、一対の膨張体１０のそれぞれの内部の圧力値を取得する圧力値取得部２１を備える。これに伴い、制御部２は、温度値取得部２０が取得した温度値、及び圧力値取得部２１が取得した圧力値に応じて一対の膨張体１０のそれぞれを制御する指令部２２を備える。
【００３２】
本実施形態において、温度値取得部２０は、発電機Ｈ２の回転子の温度値を取得するように構成されている。また、温度値取得部２０は、複数の発電機Ｈ２のそれぞれが有する温度センサ（図示しない）に電気的に接続されている。そのため、温度値取得部２０は、複数の発電機Ｈ２のそれぞれが有する温度センサが検出した温度値を取得する。
【００３３】
圧力値取得部２１は、圧力計１１５に電気的に接続されている。そのため、圧力値取得部２１は、圧力計１１５から一対の膨張体１０のそれぞれの内部の圧力値を取得する。
【００３４】
指令部２２は、温度値取得部２０と圧力値取得部２１とに電気的に接続されている。また、指令部２２は、供給路１１１の弁体１１１ａと、排気路１１３の弁体１１３ａとに電気的に接続される。
【００３５】
ここで、指令部２２の動作について説明する。指令部２２は、温度値取得部２０から取得した温度値が基準温度値を下回ると、排気路１１３の弁体１１３ａを閉状態にし、供給路１１１の弁体１１１ａを開状態にする。すなわち、指令部２２は、温度値取得部２０が取得した温度が基準温度値を下回ると、一対の膨張体１０のそれぞれの膨縮部１００を膨張させる。なお、基準温度値は、発電機Ｈ２に結露が発生しない温度値に設定されていればよい。
【００３６】
そして、指令部２２は、圧力計１１５から取得した圧力値が基準圧力値に到達すると、供給路１１１の弁体１１１ａを閉状態にする。
【００３７】
さらに、指令部２２は、温度値取得部２０が取得した温度が基準温度値を上回ると、供給路１１１の弁体１１１ａを閉状態にしたまま、排気路１１３の弁体１１３ａを開状態にする。すなわち、指令部２２は、前記温度値取得部２０が取得した温度が基準温度値を上回ると一対の膨張体１０のそれぞれの膨縮部１００を縮小させる。
【００３８】
本実施形態に係る結露防止システムは、以上の通りである。続いて、本実施形態に係る結露防止システムの動作について、添付図面を参照しつつ説明する。
【００３９】
図２に示すように、結露防止システムは、複数の発電機Ｈ２のそれぞれが暖まっている場合（発電機Ｈ２の回転子の温度が基準温度値以上である場合）、一対の膨張体１０のそれぞれの膨縮部１００が縮小している。そのため、発電機室Ｈ３は、複数の発電機Ｈ２のそれぞれの上部の空間が開放されている。
【００４０】
そして、複数の発電機Ｈ２のうちの少なくとも一つの温度が基準温度値を下回ると、制御部２は、排気路１１３の弁体１１３ａを閉状態にし、供給路１１１の弁体１１１ａを開状態にする。これにより、図３に示すように、一対の膨張体１０のそれぞれの膨縮部１００が膨張し、一方の膨張体１０の第二端と他方の膨張体１０の第二端とが互いに接近する。
【００４１】
さらに、制御部２は、圧力計１１５から取得した圧力値が基準圧力値に到達すると、供給路１１１の弁体１１１ａを閉状態にする。これにより、一対の膨張体１０のそれぞれの内部に対する給排気系統１１の給気が停止する。
【００４２】
このようにして、一対の膨張体１０のそれぞれによって、発電機室Ｈ３内が上部領域と下部領域とに区切られる。これにより、発電機室Ｈ３内に縮小領域Ａが画定され、発電機Ｈ２の排気部Ｈ２１から排出された暖気Ｗを該縮小領域Ａに集めることができるようになる。
【００４３】
そして、複数の発電機Ｈ２のそれぞれの温度値（回転子の温度）が基準温度値を上回ると、制御部２が供給路１１１の弁体１１１ａを閉状態にしたまま、排気路１１３の弁体１１３ａを開状態にする。これにより、図４に示すように、一対の膨張体１０のそれぞれの膨縮部１００が縮小し、一方の膨張体１０の第二端と他方の膨張体１０の第二端とが互いに離間する。そして、再び複数の発電機Ｈ２のそれぞれの上部の空間が開放される。
【００４４】
以上のように、本実施形態に係る結露防止システムは、縮小領域形成体１によって発電機室Ｈ３内の全体領域よりも小さい縮小領域Ａであって、発電機Ｈ２の近傍の領域を含む縮小領域Ａを画定することができる。
【００４５】
本実施形態に係る結露防止システムでは、発電機室内Ｈ３を発電機Ｈ２側の下部領域と該下部領域の上部領域とに区切るようになっているため、発電機室Ｈ３内全体よりも小さい領域である下部領域で縮小領域Ａを構成することができる。
【００４６】
これにより、結露防止システムは、発電機Ｈ２から生じる暖気Ｗが発電機室Ｈ３内全体に拡散することを防止できる。すなわち、結露防止システムは、発電機Ｈ２の近傍の領域に暖気Ｗを集めることができる。従って、結露防止システムは、縮小領域Ａに集めた暖気Ｗで発電機Ｈ２を温めることができる。これにより、結露防止システムは、発電機Ｈ２に空気中の水蒸気が触れて結露が発生することを防止できる。
【００４７】
そして、結露防止システムは、一対の膨張体１０のそれぞれを膨張させることで、該一対の膨張体１０のそれぞれが発電機室Ｈ３内を占有する割合を高めることができる。すなわち、結露防止システムは、一対の膨張体１０のそれぞれを膨張させることで発電機室Ｈ３内を狭めたうえで縮小領域Ａを画定することができる。そのため、上記構成の結露防止システムは、より効率よく縮小領域Ａに暖気Ｗを集めることができる。
【００４８】
さらに、結露防止システムにおいて、制御部２は、温度値が縮小領域形成体Ａを制御する基準となる基準温度値を下回ると発電機室Ｈ３内に縮小領域Ａを画定し、温度値が基準温度値を上回ると縮小領域Ａを開放するため、発電機Ｈ２を温める必要のないときに、発電機Ｈ２の近傍の領域を開放することができる。
【００４９】
従って、結露防止システムは、発電機Ｈ２を温める必要のない状態において、発電機室Ｈ３の上部の領域を開放することができ、発電機室Ｈ３内に設置されている設備（例えば、発電機室Ｈ３内の天井に設置されるクレーン）の使用の妨げとなることを防止できる。
【００５０】
尚、本発明は、上記内容に限定されるものではなく、本発明の要旨を逸脱しない範囲で適宜変更し得ることは勿論のことである。
【００５１】
上記の結露防止システムにおいて、制御部２は、発電機Ｈ２の温度値を取得するとともに、該温度値に応じて縮小領域形成体１を制御する場合について説明したが、これに限定されるものではない。制御部２は、発電機Ｈ２の温度値及び周囲の温度値を取得するとともに、発電機Ｈ２の温度値と周囲の温度値との差に応じて縮小領域形成体１を制御してもよい。
【００５２】
この場合、制御部２は、発電機Ｈ２の温度値と周囲の温度値との差が縮小領域形成体１を制御する基準となる基準温度差を上回ると発電機室内に縮小領域Ａを画定し、発電機Ｈ２の温度値と周囲の温度値との差が基準温度差を下回ると縮小領域Ａを開放する。
【００５３】
具体的には、結露防止システムは、複数の発電機Ｈ２のそれぞれが暖まっている場合（発電機Ｈ２の温度値と周囲の温度値との差が基準温度差を下回る場合）、一対の膨張体１０のそれぞれの膨縮部１００が縮小している。そのため、発電機室Ｈ３は、複数の発電機Ｈ２のそれぞれの上部の空間が開放されている。
【００５４】
複数の発電機Ｈ２のうちの少なくとも一つの温度が基準温度値を下回ることによって、発電機Ｈ２の温度値と周囲の温度値との差が基準温度差を上回ると、制御部２は、排気路１１３の弁体１１３ａを閉状態にし、供給路１１１の弁体１１１ａを開状態にする。これにより、図３に戻って示すように、一対の膨張体１０のそれぞれの膨縮部１００が膨張し、一方の膨張体１０の第二端と他方の膨張体１０の第二端とが互いに接近する。
【００５５】
そして、複数の発電機Ｈ２のそれぞれの温度値（回転子の温度）と周囲の温度値との差が基準温度差を下回ると、制御部２が供給路１１１の弁体１１１ａを閉状態にしたまま、排気路１１３の弁体１１３ａを開状態にする。これにより、図４に戻って示すように、一対の膨張体１０のそれぞれの膨縮部１００が縮小し、一方の膨張体１０の第二端と他方の膨張体１０の第二端とが互いに離間する。そして、再び複数の発電機Ｈ２のそれぞれの上部の空間が開放される。
【００５６】
また、この場合、温度値取得部２０は、周囲の温度値を取得するようにしてもよい。
【００５７】
上記の結露防止システムの動作説明において、特に言及しなかったが、縮小領域形成体１は、一対の膨張体１０のそれぞれの第二端同士の間に隙間を形成することによって、発電機室Ｈ３内の温度や湿度を調整できるようにしてもよい。
【００５８】
また、上記の結露防止システムにおいて、縮小領域形成体１は、一対の膨張体１０を備えていたが、これに限定されるものではなく、例えば、図５に示すように、一つの膨張体１０と、該膨張体１０の内部に対する給排気をする給排気系統１１と、前記膨張体１０上から送風する送風機１２とを備えるようにしてもよい。このようにする場合、膨張体１０の膨縮部１００を膨張させたうえで送風機１２による送風を行って、膨張体１０と該送風機１２からの風とによって縮小領域Ａを形成することができる。
【００５９】
また、縮小領域形成体１は、図６Ａに示すように、例えば、複数の発電機Ｈ２のそれぞれの上部に設置されるガイドレール１３と、長尺状のシート部材１４と、該シート部材１４上で移動可能に構成される可動部１５であって、該シート部材１４に連結される可動部１５（例えば、クレーン）とを備えるようにしてもよい。このようにする場合、図６Ｂに示すように、シート部材１４をガイドレール１３に沿って移動させれば、該シート部材１４で複数の発電機Ｈ２のそれぞれの上部を区切ることができる。
【００６０】
さらに、縮小領域形成体１は、例えば、発電機Ｈ２の少なくとも上部を覆うように構成されていてもよい。より具体的に説明する。縮小領域形成体１は、図７Ａに示すように、一方の面が開放された箱状の被覆部材１６と、該被覆部材１６上で移動可能に構成されるとともに、該被覆部材１６上で移動可能な可動部１５（例えば、クレーン）とを備えていてもよい。
【００６１】
このようにする場合、縮小領域Ａが被覆部材１６の内部で構成されるため、図７Ｂに示すように、複数の発電機Ｈ２のそれぞれの上部を被覆部材１６で覆うことで、該複数の発電機Ｈ２のそれぞれを温めることができる。なお、この場合、被覆部材１６は、複数の発電機Ｈ２全体を覆うように形成されていても良い。
【００６２】
さらに、縮小領域形成体１は、発電機Ｈ２の排気部Ｈ２１から排出される暖気Ｗで発電機Ｈ２を温めることができれば、発電機室Ｈ３内の壁を移動させて発電機室Ｈ３内の領域を狭めるように構成されていてもよい。
【００６３】
また、上記説明において特に言及しなかったが、制御部２は、例えば、圧力計１１５から取得した圧力値が圧力基準値を超えたときに、排気路１１３の弁体１１３ａを開状態にしてもよい。
【００６４】
そして、上記の結露防止ステムにおいて、制御部２は、発電機Ｈ２の回転子の温度値に応じて縮小領域形成体１を制御していたが、これに限定されるものではなく、例えば、発電機室Ｈ３内の湿度に応じて縮小領域形成体１を制御するようにしてもよい。
【００６５】
また、上記の結露防止システムにおいて、温度値取得部２０は、複数の発電機Ｈ２のそれぞれが有する温度センサが検出した温度値を取得するようになっていたが、これに限定されるものではなく、例えば、温度値取得部２０は、複数の発電機Ｈ２のそれぞれから温度値を直接的に取得するようにしてもよい。
【００６６】
また、上記の結露防止システムにおいて、制御部２は、発電機Ｈ２の回転子の温度値を取得するように構成されていたが、これに限定されるものではなく、例えば、発電機Ｈ２の他の構成の温度値を取得するように構成してもよい。
【符号の説明】
【００６７】
１…縮小領域形成体、１０…膨張体、１００…膨縮部、１１…給排気系統、１１０…主流路、１１１…供給路、１１１ａ…弁体、１１２…給気装置、１１３…排気路、１１３ａ…弁体、１１４…排気装置、１１５…圧力計、１２…送風機、１３…ガイドレール、１４…シート部材、１５…可動部、１６…被覆部材、２…制御部、２０…温度値取得部、２１…圧力値取得部、２２…指令部、Ａ…縮小領域、Ｈ…水力発電施設、Ｈ１…水車、Ｈ２…発電機、Ｈ３…発電機室、Ｈ４…回転軸、Ｈ２０…ハウジング、Ｈ２１…排気部、Ｗ…暖気
【図１】
2016163521.tif 000003
【図２】
2016163521.tif 000004
【図３】
2016163521.tif 000005
【図４】
2016163521.tif 000006
【図５】
2016163521.tif 000007
【図６】
2016163521.tif 000008
【図７】
2016163521.tif 000009
【図８】
2016163521.tif 000010